(57)【要約】  【課題】  ＤＶＤ−ＲやＤＶＤ＋Ｒなどの記録型ＤＶＤディスクにおけるマルチボーダー再生またはマルチセッション再生において、ディスク情報記録を小容量メモリで可能にした光ディスク再生装置を提供することにある。  【解決手段】  本発明は、ＤＶＤディスク１を用いた光ディスク再生装置であって、ディスク情報を記憶しているディスク上の位置を示すアドレスを、内部メモリ８に記憶するように構成したことを特徴とする。【選択図】  図２
2005071485.tif 000002
【特許請求の範囲】
【請求項１】
ＤＶＤディスクを用いた光ディスク再生装置であって、
ディスク情報を記憶しているディスク上の位置を示すアドレスを取得して、内部メモリに記憶するように構成したことを特徴とする光ディスク再生装置。
【請求項２】
ＤＶＤ−Ｒ／−ＲＷディスクを用いた光ディスク再生装置であって、
リードイン領域に記録されたディスク情報を元に、内周から外周に向って辿ってサーチした結果得られる複数のボーダー領域におけるボーダーインとボーダーアウトとのディスク上の位置を示すアドレスを前記ディスクから取得して、内部メモリに記憶するように構成したことを特徴とする光ディスク再生装置。
【請求項３】
請求項２記載の光ディスク再生装置において、ホストコンピュータから所望のボーダーに関する情報要求があったとき、前記内部メモリを参照して該当するボーダーのディスク上の位置を検出し、該検出したディスク上の位置にアクセスして記録された情報を読み出し、該読み出された情報の内必要な情報を前記ホストコンピュータに対して応答するように構成したことを特徴とする光ディスク再生装置。
【請求項４】
ＤＶＤ＋Ｒ／＋ＲＷディスクを用いた光ディスク再生装置であって、
リードイン領域に記録されたディスク情報を元に、内周から外周に向って辿ってサーチした結果得られる複数のセッション領域におけるイントロとクロージャとのディスク上の位置を示すアドレスを前記ディスクから取得して、内部メモリに記憶するように構成したことを特徴とする光ディスク再生装置。
【請求項５】
請求項４記載の光ディスク再生装置において、ホストコンピュータから所望のセッションに関する情報要求があったとき、前記内部メモリを参照して該当するセッションのディスク上の位置を検出し、該検出したディスク上の位置にアクセスして記録された情報を読み出し、該読み出された情報の内必要な情報を前記ホストコンピュータに対して応答するように構成したことを特徴とする光ディスク再生装置。
【発明の詳細な説明】
【技術分野】
【０００１】
本発明は、ＤＶＤ−ＲやＤＶＤ＋Ｒなどの記録型ＤＶＤディスクにおけるマルチボーダーまたはマルチセッション再生に関して、ディスク情報記憶を小容量メモリにて可能とする光ディスク再生装置に関する。
【背景技術】
【０００２】
従来技術としては、特開２０００−２８５４６２号公報に記載されたＣＤ−Ｒ／ＲＷディスクが知られている。
【０００３】
この従来技術は、マルチセッションに記録されたＣＤ−ＲディスクまたはＣＤ−ＲＷディスクについて、該ディスクのＰＭＡ領域（Program Memory Area）に記録されているＰＭＡ情報を利用してディスク情報（ＣＤ−ＲディスクまたはＣＤ−ＲＷディスクのＰＭＡ領域、ＴＯＣ領域に記録されている情報）を短時間にかつ正確に取得するとともに、該取得されたディスク情報に基づき各トラックへのアクセスおよびトラックの追記を行えるようにしたものである。
【０００４】
【特許文献１】特開２０００−２８５４６２号公報
【発明の開示】
【発明が解決しようとする課題】
【０００５】
ところで、ＤＶＤ−ＲやＤＶＤ＋Ｒなどの記録型ＤＶＤディスクの記録方式として、マルチボーダーまたはマルチセッションと呼ぶ記録方法が規格化されている。これは、１ボーダー内あるいは１セッション内に夫々リードイン（Lead-in）領域、プログラム領域、リードアウト（Lead-out）領域を有し、複数ボーダーあるいは複数セッションをディスク内周より外周に向けて記録していくものである。そのため、各ボーダーあるいは各セッションのディスク情報は、各々のリードイン領域から入手する為、ディスク情報入手に時間がかかると共に、光ディスク再生装置内に、ディスク情報全体を記録する大きなメモリを確保する必要があった。
【０００６】
即ち、ＤＶＤ−Ｒ／−ＲＷディスクのマルチボーダー記録について、図３に基づいて説明する。マルチボーダー記録は、ボーダーイン（Border-in）、ユーザデータ（User Data）、ボーダーアウト（Border-out）を１ボーダーとして、複数のボーダーを１枚のディスクに記録するものであり、各ボーダーのBorder-in領域の制御データ（Control Data）等のリードイン情報を格納し、ディスク内周から外周に向けて順番に記録を行う。
【０００７】
マルチボーダー記録が実施されたディスクを光ディスク装置に装填すると、光ディスク装置は、ホストとのコマンドのやりとりを可能にするために、最終ボーダーまでの全てのディスク情報の検索を行う。即ち、始めに第１ボーダーのBorder-in領域の制御データ（Control Data）の読み取りを行い、この時に得られる第２ボーダーのプログラム開始情報を手掛かりに、第２ボーダーのBorder-in領域にアクセスして第２ボーダーの制御データ（Control Data）の読み取りを行い、この時に得られる第３ボーダーのプログラム開始情報を手掛かりに、更に、図示していないが、第３ボーダーのBorder-in領域にアクセスするという操作を最終ボーダーまで繰返すサーチを行う。
【０００８】
このようにして得られたホストコンピュータに応答すべきディスク情報は、光ディスク装置の内部メモリに記憶しておく必要があるが、ボーダー数に比例してディスク情報が大きくなる為に大容量のメモリを必要とし、小容量のメモリしか搭載していない再生専用光ディスク装置では、マルチボーダーに対応することができず、ネックとなっていた。
【０００９】
また、ＤＶＤ＋Ｒ／＋ＲＷディスクの場合、図４に示すように追記形式の記録をマルチセッション記録と呼び、イントロ（Intro）、ユーザデータ（User Data）、クロージャ（Closure）を１セッションとして、複数のセッションを１枚のディスクに記録するようにしたもので、マルチボーダー記録と技術内容は殆ど同一であり、小容量のメモリしか搭載していない再生専用光ディスク装置では、マルチボーダーと同様に、マルチセッションに対応することができず、ネックとなっていた。
【００１０】
本発明の目的は、上記課題を解決すべく、ＤＶＤ−ＲやＤＶＤ＋Ｒなどの記録型ＤＶＤディスクにおけるマルチボーダー再生またはマルチセッション再生において、ディスク情報記録を小容量メモリで可能にした光ディスク再生装置を提供することにある。
【課題を解決するための手段】
【００１１】
上記目的を達成するために、本発明は、ＤＶＤディスクを用いた光ディスク再生装置であって、ディスク情報を記憶しているディスク上の位置を示すアドレスを取得して、内部メモリに記憶するように構成したことを特徴とする。
【００１２】
また、本発明は、ＤＶＤ−Ｒ／−ＲＷディスクを用いた光ディスク再生装置であって、リードイン（Lead-in）領域に記録されたディスク情報を元に、内周から外周に向って辿ってサーチした結果得られる複数のボーダー領域におけるボーダーイン（Border-in）とボーダーアウト（Border-out）とのディスク上の位置を示すアドレスを前記ディスクから取得して、内部メモリに記憶するように構成したことを特徴とする。
【００１３】
また、本発明は、ＤＶＤ＋Ｒ／＋ＲＷディスクを用いた光ディスク再生装置であって、リードイン（Lead-in）領域に記録されたディスク情報を元に、内周から外周に向って辿ってサーチした結果得られる複数のセッション領域におけるイントロ（Intro）とクロージャ（Closure）とのディスク上の位置を示すアドレスを前記ディスクから取得して、内部メモリに記憶するように構成したことを特徴とする。
【００１４】
また、本発明は、前記光ディスク再生装置において、ホストコンピュータから所望のボーダーまたはセッションに関する情報要求があったとき、前記内部メモリを参照して該当するボーダーまたはセッションのディスク上の位置を検出し、該検出したディスク上の位置にアクセスして記録された情報を読み出し、該読み出された情報の内必要な情報を前記ホストコンピュータに対して応答するように構成したことを特徴とする。
【発明の効果】
【００１５】
以上説明したように、本発明によれば、ホストコンピュータと光ディスク再生装置との間でディスク情報へのアクセスを短時間にして容易にすると共に、ディスク情報を記録する光ディスク再生装置の内部メモリ負担を軽減することが可能となる。
【発明を実施するための最良の形態】
【００１６】
本発明に係るＤＶＤ−Ｒ／−ＲＷあるいはＤＶＤ＋Ｒ／＋ＲＷなどのディスクにおけるマルチボーダー再生またはマルチセッション再生に関する光ディスク再生装置の実施の形態を図面を用いて説明する。
【００１７】
まず、本発明に係る光ディスク再生装置のシステムの一実施の形態の概略構成について、図１を用いて説明する。即ち、光ディスク再生装置のシステム構成は、ＤＶＤ−ＲＯＭドライブ２０と、パソコンや端末等のホストコンピュータ３０とで構成される。ディスク（ＤＶＤ−Ｒ／−ＲＷあるいはＤＶＤ＋Ｒ／＋ＲＷなど）１はスピンドルモータ４で駆動されて、光ピックアップ２で情報の再生が行われる。光ピックアップ２は、送りモータ３で光ディスク１の半径方向に移送される。光ピックアップ２で読み取られたディスクのデータは、ＲＦアンプ５で増幅されて、デコーダ６で復調される。復調化されたデータは、メモリ制御部７を介して内部メモリであるバッファメモリ８に一時的に記憶され、内部の基準クロックに従って読み出されて、インタフェース部９を介してホストコンピュータ３０に送られる。１０は、光ピックアップ２、送りモータ３及びスピンドルモータ４を制御するサーボ制御部である。１１は、サーボ制御部１０、ＲＦアンプ５、デコーダ６、メモリ制御部７及びインタフェース部９を制御するシステム制御部である。
【００１８】
次に、本発明に係る光ディスク再生装置の作用の一実施の形態について、図２を説明する。即ち、ディスク１をローディング後、ディスク初期化時に、ディスク１に記録されたボーダー（Border）／セッション（Session）のサーチ（検索）開始において（Ｓ２０）、まず、ディスク内周側のリードイン（Lead-in）領域に記録されたディスク情報に基づいて、ＤＶＤ−Ｒ／−ＲＷあるいはＤＶＤ＋Ｒ／＋ＲＷディスクのディスクの判別を行う（Ｓ２１、Ｓ２５）。
【００１９】
まず、ＤＶＤ−Ｒ／−ＲＷディスクの場合について説明する。
【００２０】
ＤＶＤ−Ｒ／−ＲＷディスクの場合は、システム制御部１１により制御されるメモリ制御部７は、サーチすることにより、リードイン領域に記録されたディスク情報からそのBorder-inとBorder-outのディスク上の位置（アドレス）を、光ピックアップ２、ＲＦアンプ５及びデコーダ６を通して入手（取得）して光ディスク再生装置の内部メモリ８上に用意したテーブルに記憶し、システム制御部１１は、リードイン領域から得られる次のボーダーのプログラム開始情報を手掛かりとして次のBorder-in領域へとアクセス（移動）する（Ｓ２２）。
【００２１】
そして、メモリ制御部７は、そのアクセス（移動）されたBorder-in領域から、Border-inとBorder-outのディスク上の位置（アドレス）をデコーダ６を通して入手（取得）して、再び、光ディスク装置の内部メモリ８上のテーブルに記憶し（Ｓ２３）、システム制御部１１はこの操作を最終ボーダーまで繰り返す（Ｓ２４）。その結果、内部メモリ８上のテーブルには、各ボーダー領域におけるBorder-inとBorder-outのディスク上の位置（アドレス）が記憶されることになる。
【００２２】
即ち、ＤＶＤ−Ｒ／−ＲＷの追記ディスクにおいては、最新のディスク情報は最外周のBorder-inとBorder-outに記憶されている。そして、ＤＶＤドライブ２０は、図３に示すように、内周側から順にBorder-inを辿っていくことで、最終BorderのBorder-inに辿りつくことができることになる。（読み出したBorder-inの情報には、次のBorder-inの位置情報（アドレス）が書かれている。）さらに、ＤＶＤドライブ２０は、最外周のBorder-inに記録されている位置情報（アドレス）から最外周のBorder-outへ辿りつくことができる。
【００２３】
そこで、本発明においては、ＤＶＤドライブ２０内の内部メモリ８に記憶しておくのは、各Border-inの位置情報（アドレス）のみとすることで、メモリ使用量を少なくすることができる。なお、例えば、最新のディスク情報をホストコンピュータ３０から要求された場合には、内部メモリ８に記憶された位置情報（アドレス）を元に、ディスクに記録されたBorder-inとBorder-outを再度読み出してホストコンピュータに応答すれば良いことになる。
【００２４】
以上説明したように、内部メモリ８には、各Border-inの位置情報（アドレス）のみが記憶されているので、光ディスク再生装置（システム制御部１１）は、ホストコンピュータ３０からのボーダーに関する情報要求（コマンド）に基づいて、上記内部メモリ８のテーブルを参照して該当するボーダー情報が記憶されている位置（アドレス）を検出し、当該位置にピックアップをアクセスしてデータを読み出し、必要な情報をホストコンピュータ３０へ応答することが可能となる。
【００２５】
次に、ＤＶＤ＋Ｒ／＋ＲＷディスクの場合について説明する。
【００２６】
ＤＶＤ＋Ｒ／＋ＲＷディスクの場合（Ｓ２５）も同様に、システム制御部１１により制御されるメモリ制御部７は、サーチすることにより、リードイン領域に記録されたディスク情報からそのIntroとClosureのディスク上の位置（アドレス）を、光ピックアップ２、ＲＦアンプ５及びデコーダ６を通して入手（取得）して光ディスク再生装置の内部メモリ８上に用意したテーブルに記憶し、システム制御部１１は、リードイン領域から得られる次のセッションのプログラム開始情報を手掛かりとして次のSession領域へとアクセス（移動）する（Ｓ２６）。
【００２７】
そして、メモリ制御部７は、各セッションのIntroからIntroとClosureのディスク上の位置（アドレス）を、デコーダ６を通して入手（取得）して光ディスク再生装置の内部メモリ８上のテーブルに記憶し（Ｓ２７）、この操作を最終セッション（Session）まで繰返すことにより、ディスク情報を取得する（Ｓ２８）。その結果、内部メモリ８上のテーブルには、各セッション領域におけるIntroとClosureのディスク上の位置（アドレス）が記憶されることになる。
【００２８】
即ち、ＤＶＤ＋Ｒ／＋ＲＷの追記ディスクにおいても、最新のディスク情報は最外周のIntroに記憶されている。そしてＤＶＤドライブ２０は、図４に示すように、内周側から順にIntroを辿っていくことで最終SessionのIntroに辿りつくことができることになる。（読み出したIntroの情報には、次のIntroの位置情報（アドレス）が書かれている。）
そこで、本発明においては、ＤＶＤドライブ２０内の内部メモリ８に記憶しておくのは、各Introの位置情報（アドレス）のみとすることで、メモリ使用量を少なくすることができる。なお、各Introの内容をホストコンピュータ３０から要求された場合には、内部メモリ８に記憶された位置情報（アドレス）を元に、ディスクに記録されたIntroを再度読み出してホストコンピュータに応答すれば良いことになる。
【００２９】
以上説明したように、内部メモリ８には、各Introの位置情報（アドレス）のみが記憶されているので、光ディスク再生装置（システム制御部１１）は、ホストコンピュータ３０からのセッションに関する情報要求（コマンド）に基づいて、上記内部メモリ８のテーブルを参照して該当するセッション情報が記憶されている位置（アドレス）を検出し、当該位置にピックアップをアクセスしてデータを読み出し、必要な情報をホストコンピュータ３０へ応答することが可能となる。
【００３０】
以上説明した実施の形態によれば、ＤＶＤ−Ｒ／−ＲＷあるいはＤＶＤ＋Ｒ／＋ＲＷなどのディスクにおけるマルチボーダー再生またはマルチセッション再生において、ホストコンピュータと光ディスク再生装置との間でディスク情報へのアクセスを短時間にして容易にすると共に、ディスク情報を記録する光ディスク再生装置の内部メモリ負担を軽減することが可能となる。
【図面の簡単な説明】
【００３１】
【図１】本発明に係る光ディスク再生装置のシステムの一実施の形態の概略構成を示した図である。
【図２】本発明に係る光ディスク再生装置の作用の一実施の形態を示すフロー図である。
【図３】本発明に係るＤＶＤ−Ｒ／−ＲＷのマルチボーダー構造を示す図である。
【図４】本発明に係るＤＶＤ＋Ｒ／＋ＲＷのマルチセッション構造を示す図である。
【符号の説明】
【００３２】
１…ディスク（ＤＶＤ−Ｒ／ＲＷあるいはＤＶＤ＋Ｒ／＋ＲＷなど）、２…光ピックアップ、３…送りモータ、４…スピンドルモータ、５…ＲＦアンプ、６…デコーダ、７…メモリ制御部、８…内部メモリ（バッファメモリ）、９…インタフェース部、１０…サーボ制御部、１１…システム制御部、２０…ＤＶＤ−ＲＯＭデバイス、３０…ホストコンピュータ。
【図１】
2005071485.tif 000003
【図２】
2005071485.tif 000004
【図３】
2005071485.tif 000005
【図４】
2005071485.tif 000006